Podtech/llm-jp-corpus-v4-ja_patent huggingface dataset:
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
記憶手段に保存されている画像データから所定の画像データを選択して変更するサイズを指定する指定手段と、
該指定手段によって指定されたサイズになるように前記画像データのサイズを変更する変更手段と、
前記画像データの関連情報を読み出す読み出し手段と、
該読み出し手段により読み出された前記関連情報に基づいて、前記変更手段によりサイズが変更される前記画像データのサイズ変更後の最小サイズを算出する算出手段と、
前記変更手段によりサイズが変更される前記画像データが、前記最小サイズより小さくならないようにサイズ変更処理を制限する制限手段と、を備えることを特徴とする画像処理装置。
【請求項２】
前記関連情報は、前記画像データに対する印刷指定、または、前記画像データに対するトリミング指定、または、前記画像データに対するスライドショー指定である、ことを特徴とする請求項１に記載の画像処理装置。
【請求項３】
前記制限手段は、前記変更手段による前記画像データのサイズ変更後に元の前記画像データへの上書き保存を制限する、ことを特徴とする請求項１または２に記載の画像処理装置。
【請求項４】
前記制限手段によるサイズ変更処理の制限を行う場合と、前記最小サイズより小さなサイズへの変更指示を可能とする場合とを選択する選択手段を有する、ことを特徴とする請求項１ないし３のいずれか一項に記載の画像処理装置。
【請求項５】
記憶手段に保存されている画像データから所定の画像データを選択して変更するサイズを指定する指定ステップと、
該指定ステップで指定されたサイズになるように前記画像データのサイズを変更する変更ステップと、
前記画像データの関連情報を読み出す読み出しステップと、
該読み出しステップで読み出された前記関連情報に基づいて、前記変更ステップでサイズが変更される前記画像データのサイズ変更後の最小サイズを算出する算出ステップと、 前記変更ステップでサイズが変更される前記画像データが、前記最小サイズより小さくならないようにサイズ変更処理を制限する制限ステップと、を備えることを特徴とする画像処理方法。
【請求項６】
前記関連情報は、前記画像データに対する印刷指定、または、前記画像データに対するトリミング指定、または、前記画像データに対するスライドショー指定である、ことを特徴とする請求項５に記載の画像処理方法。
【請求項７】
前記制限ステップは、前記変更ステップでの前記画像データのサイズ変更後に元の前記画像データへの上書き保存を制限する、ことを特徴とする請求項５または６に記載の画像処理方法。
【請求項８】
前記制限ステップでサイズ変更処理の制限を行う場合と、前記最小サイズより小さなサイズへの変更指示を可能とする場合とを選択する選択ステップを有する、ことを特徴とする請求項５ないし７のいずれか一項に記載の画像処理方法。
【請求項９】
記憶手段に保存されている画像データから所定の画像データを選択して変更するサイズを指定する指定ステップと、
該指定ステップで指定されたサイズになるように前記画像データのサイズを変更する変更ステップと、
前記画像データの関連情報を読み出す読み出しステップと、
該読み出しステップで読み出された前記関連情報に基づいて、前記変更ステップでサイズが変更される前記画像データのサイズ変更後の最小サイズを算出する算出ステップと、 前記変更ステップでサイズが変更される前記画像データが、前記最小サイズより小さくならないようにサイズ変更処理を制限する制限ステップと、をコンピュータに実行させることを特徴とする画像処理プログラム。
【手続補正２】
【補正対象書類名】明細書
【補正対象項目名】０００５
【補正方法】変更
【補正の内容】
【０００５】
上記目的を達成するために、本発明の画像処理装置は、記憶手段に保存されている画像データから所定の画像データを選択して変更するサイズを指定する指定手段と、該指定手段によって指定されたサイズになるように前記画像データのサイズを変更する変更手段と、前記画像データの関連情報を読み出す読み出し手段と、該読み出し手段により読み出された前記関連情報に基づいて、前記変更手段によりサイズが変更される前記画像データのサイズ変更後の最小サイズを算出する算出手段と、前記変更手段によりサイズが変更される前記画像データが、前記最小サイズより小さくならないようにサイズ変更処理を制限する制限手段と、を備えることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正書】
【提出日】平成22年11月19日(2010.11.19)
【手続補正１】
【補正対象書類名】明細書
【補正対象項目名】発明の名称
【補正方法】変更
【補正の内容】
【発明の名称】映像伝送システム
【手続補正２】
【補正対象書類名】特許請求の範囲
【補正対象項目名】全文
【補正方法】変更
【補正の内容】
【特許請求の範囲】
【請求項１】
第１の装置と第２の装置と第３の装置との間で映像信号を伝送する映像伝送システムにおいて、
前記第１の装置が前記第２の装置及び前記第３の装置の機能を確認し、前記第２の装置及び前記第３の装置が共に所定の機能を有する装置である場合には、前記第２の装置と前記第３の装置との間で所定の双方向通信機能を使用可能とすることを特徴とする映像伝送システム。
【請求項２】
請求項１の映像伝送システムであって、
前記第１の装置は、前記第２の装置から送信されるメッセージに基づいて、前記第２の装置が前記所定の機能を有する装置であることを確認することを特徴とする映像伝送システム。
【請求項３】
請求項１または２の映像伝送システムであって、
前記第１の装置は、前記第３の装置に格納されている前記第３の装置の機能を示す情報を読み出すことにより、前記第３の装置が前記所定の機能を有する装置であることを確認することを特徴とする映像伝送システム。
【請求項４】
請求項１〜３のいずれかの映像伝送システムであって、
前記所定の双方向通信機能は、ＨＤＭＩ（High-Definition Multimedia Interface）規格で規定されているＣＥＣ（Consumer Electronics Control）仕様の通信機能であることを特徴とする映像伝送システム。
【請求項５】
請求項１〜４のいずれかの映像伝送システムであって、
前記第１の装置は映像信号を伝送する伝送装置であり、
前記第２の装置は映像信号を再生して出力する映像信号再生装置であり、
前記第３の装置は入力された映像信号に基づいて映像を表示する表示装置であることを特徴とする映像伝送システム。
【手続補正３】
【補正対象書類名】明細書
【補正対象項目名】００１１
【補正方法】変更
【補正の内容】
【００１１】
上記課題を解決するために、本発明の一実施の態様は、例えば特許請求の範囲に記載された技術的思想を用いる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００３２
【補正方法】変更
【補正の内容】
【００３２】
状態３１２において、第一及び第二のレジスタがセットされて、ＣＥＣメッセージ伝送が許可されている場合に、無線受信ユニット１３のＣＥＣ通信部１３１にＣＥＣメッセージが送られるとそれを無線で無線送信ユニット１２に送り、ＣＥＣ通信部１２１から映像信号源１１のＣＥＣ通信部１１１へ転送される（図４の状態４１２）。この転送動作は所定回数（図４では２回）繰り返して、確実に伝えられるようにしている。余分なＣＥＣ命令を出さないためにも、ＣＥＣ通信部１１１が受信できない場合でも、自動的に再送信しないように設定しておいても良い。
【手続補正７】
【補正対象書類名】明細書
【補正対象項目名】００３５
【補正方法】変更
【補正の内容】
【００３５】
本発明の第三の実施例によるシステムブロック図を図５に示す。図１と同じ構成物には同じ番号を付与しており、１６は音声処理機能付映像伝送装置である。映像伝送装置には、音声処理１６７や、スピーカ１６８等が接続されている。所定の映像信号源と映像伝送装置、映像表示装置の直接接続を検出した上で、あらかじめ決められた操作手順に基づき、直接接続装置間の連係動作を実現するものである。
【手続補正８】
【補正対象書類名】明細書
【補正対象項目名】００３７
【補正方法】変更
【補正の内容】
【００３７】
無線映像伝送機能などを有する映像伝送装置において、所定の映像信号源と映像表示装置を組合せた場合の高画質かつ高効率な映像伝送機能と、所定の組合せ以外においては標準的な映像伝送機能を、的確に切換できる利点がある。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
入力された画像データを、第１の記録媒体と第２の記録媒体に記録する記録手段と、
前記第１の記録媒体に対して前記入力された画像データを連続的に記録しながら、所定の時間間隔で前記入力された画像データを取り出し、前記取り出した画像データを前記第２の記録媒体に対して間欠的に記録するように、前記記録手段を制御する制御手段とを備えた記録装置。
【請求項２】
前記記録手段は、前記画像データと共に入力された音声データを前記第１の記録媒体と第２の記録媒体に記録し、前記制御手段は、前記第１の記録媒体に対して前記入力された画像データと音声データをそれぞれ連続的に記録しながら、前記取り出した画像データを前記第２の記録媒体に対して間欠的に記録し、前記入力された音声データを連続的に前記第２の記録媒体に記録するように、前記記録手段を制御することを特徴とする請求項１に記載の記録装置。
【請求項３】
前記記録手段は、前記入力された画像データを前記所定の時間を単位として分割し、前記分割した画像データを一つの前記単位おきに間欠的に前記第２の記録媒体に記録するように、前記記録手段を制御することを特徴とする請求項１または２に記載の記録装置。
【請求項４】
前記制御手段は、前記第１の記録媒体の使用済み容量が所定の容量に達すると、前記所定の時間間隔で取り出した画像データを前記第２の記録媒体に対して間欠的に記録しながら、前記入力された画像データのうち前記第２の記録媒体に記録される期間以外の画像データを取り出して前記第１の記録媒体に対して間欠的に記録するように前記記録手段を制御することを特徴とする請求項１に記載の記録装置。
【請求項５】
前記制御手段は、前記第１の記録媒体の使用済み容量が所定の容量に達すると、前記入力された画像データのうち前記第２の記録媒体に記録される期間以外の画像データを取り出し、この取り出した画像データを、前記第１の記録媒体に記録された画像データのうち前記第２の記録媒体に記録された期間と重複する期間の画像データに上書きするように前記記録手段を制御することを特徴とする請求項１に記載の記録装置。
【請求項６】
前記画像データを出力する撮像手段を備えたことを特徴とする請求項１から５の何れか１項に記載の記録装置。
【請求項７】
前記第１の記録媒体は着脱可能な記録媒体であり、前記第２の記録媒体は前記記録装置に内蔵された記録媒体であることを特徴とする請求項１から６の何れか１項に記載の記録装置。
【請求項８】
入力された画像データを、第１の記録媒体と第２の記録媒体に記録する記録手段を備える記録装置の制御方法であって、
前記第１の記録媒体に対して前記入力された画像データを連続的に記録しながら、所定の時間間隔で前記入力された画像データを取り出し、前記取り出した画像データを前記第２の記録媒体に対して間欠的に記録するように、前記記録手段を制御する制御ステップを備えた記録装置の制御方法。
【請求項９】
入力された画像データを、第１の記録媒体と第２の記録媒体に記録する記録手段を備える記録装置の制御プログラムであって、
前記第１の記録媒体に対して前記入力された画像データを連続的に記録しながら、所定の時間間隔で前記入力された画像データを取り出し、前記取り出した画像データを前記第２の記録媒体に対して間欠的に記録するように、前記記録手段を制御する制御ステップをコンピュータに実行させる記録装置の制御プログラム。
【請求項１０】
請求項９に記載の制御プログラムを格納した、
ことを特徴とするコンピュータで読み取り可能な記憶媒体。
【手続補正２】
【補正対象書類名】明細書
【補正対象項目名】発明の名称
【補正方法】変更
【補正の内容】
【発明の名称】記録装置、記録装置の制御方法、記録装置の制御プログラム、及び記憶媒体
【手続補正３】
【補正対象書類名】明細書
【補正対象項目名】０００１
【補正方法】変更
【補正の内容】
【０００１】
本発明は、例えば、デジタルカメラ等の撮像装置における記録装置、記録装置の制御方法、記録装置の制御プログラム、及び記憶媒体に関する。
【手続補正４】
【補正対象書類名】明細書
【補正対象項目名】００１６
【補正方法】変更
【補正の内容】
【００１６】
そこで、本発明は、記録媒体の破損による画像データ消失を回避して安全性を確保することができると共に、使用者がより快適に使用することができる記録装置、記録装置の制御方法、記録装置の制御プログラム及び記憶媒体を提供することを目的とする。
【手続補正５】
【補正対象書類名】明細書
【補正対象項目名】００１７
【補正方法】変更
【補正の内容】
【００１７】
上記目的を達成するために、本発明の記録装置は、入力された画像データを、第１の記録媒体と第２の記録媒体に記録する記録手段と、前記第１の記録媒体に対して前記入力された画像データを連続的に記録しながら、所定の時間間隔で前記入力された画像データを取り出し、前記取り出した画像データを前記第２の記録媒体に対して間欠的に記録するように、前記記録手段を制御する制御手段とを備えたことを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
データ処理装置であって、
データを記憶する記憶手段と、
前記記憶手段に記憶されたデータの複製を保持している外部装置の識別情報を保持する保持手段と、
前記記憶手段に記憶されるデータに対するリンクを他のデータ処理装置に設定するためのリンク要求を、当該他のデータ処理装置から受信する受信手段と、前記リンク要求を送信した他のデータ処理装置に、前記保持手段によって保持された外部装置の識別情報を送信する送信手段と、
を有することを特徴とするデータ処理装置。
【請求項２】
前記リンク要求に基づいて前記他のデータ処理装置に前記データに対するリンクが設定されたことに従って、前記保持手段は前記他のデータ処理装置の識別情報を保持することを特徴とする請求項１記載のデータ処理装置。
【請求項３】
前記送信手段は、前記外部装置に、前記保持手段によって保持された前記他のデータ処理装置の識別情報を送信することを特徴とする請求項２に記載のデータ処理装置。
【請求項４】
前記データに対するリンクは、前記記憶手段に対してアクセスして当該データを参照する第一のリンク方式と、リンク要求を送信した装置が当該データの複製を保持し当該複製を参照する第二のリンク方式の何れかのリンク方式によって設定されること特徴とする請求項１乃至３の何れかに記載のデータ処理装置。
【請求項５】
前記受信手段によって受信されたリンク要求が前記第一のリンク方式によるリンクの設定を要求するものであった場合に、前記保持手段によって外部装置の識別情報が保持されているか否かを判断する判断手段と、
前記判断手段によって外部装置の識別情報が保持されていないと判断された場合、前記リンク要求を送信した他のデータ処理装置に対して前記第二のリンク方式によるリンクの設定を指示する指示手段と、
を更に有することを特徴とする請求項４に記載のデータ処理装置。
【請求項６】
前記記憶手段に記憶されたデータに対して前記第二のリンク方式によるリンクの設定を行うリンク数の下限を登録する登録手段と、
前記受信手段によって前記データに対するリンク要求が受信された場合に、当該データに対する前記第二のリンク方式によるリンク数が前記登録手段によって登録されている下限を満たしているか否かを判断する判断手段と、
前記判断手段によって前記下限を満たしていないと判断された場合、前記リンク要求を送信した他のデータ処理装置に対して前記第二のリンク方式によるリンクの設定を指示する指示手段と、
を更に有することを特徴とする請求項４記載のデータ処理装置。
【請求項７】
データ処理装置の制御方法であって、
データを記憶手段に記憶する記憶ステップと、
前記記憶手段に記憶されたデータの複製を保持している外部装置の識別情報を保持する保持ステップと、
前記記憶手段に記憶されるデータに対するリンクを他のデータ処理装置に設定するためのリンク要求を、当該他のデータ処理装置から受信する受信ステップと、
前記リンク要求を送信した他のデータ処理装置に、前記保持ステップで保持された外部装置の識別情報を送信する送信ステップと、
を有することを特徴とするデータ処理装置の制御方法。
【請求項８】
請求項７記載の制御方法の各ステップをコンピュータに実行させるプログラム。
【手続補正２】
【補正対象書類名】明細書
【補正対象項目名】００１５
【補正方法】変更
【補正の内容】
【００１５】
上記目的を達成するために本発明におけるデータ処理装置は、データを記憶する記憶手段と、前記記憶手段に記憶されたデータの複製を保持している外部装置の識別情報を保持する保持手段と、前記記憶手段に記憶されるデータに対するリンクを他のデータ処理装置に設定するためのリンク要求を、当該他のデータ処理装置から受信する受信手段と、前記リンク要求を送信した他のデータ処理装置に、前記保持手段によって保持された外部装置の識別情報を送信する送信手段とを有することを特徴とする。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
複数の画素が行方向及び列方向に配列された画素配列と、
前記画素配列において少なくとも１行を選択する選択手段と、
前記画素配列の各列に設けられ、各列の画素のそれぞれの信号を列方向に出力するための複数の出力線と、
前記画素配列において前記選択手段により選択された行の画素から前記複数の出力線を介して信号を読み出す読み出し手段と、
前記複数の出力線のそれぞれに、少なくとも１つの行間において前記画素配列の行と行との間を電気的に切り離すための複数の切り離し手段と、
を備えたことを特徴とする撮像装置。
【請求項２】
前記切り離し手段は、前記複数の出力線の各行間を電気的に切り離すことを特徴とする請求項１に記載の撮像装置。
【請求項３】
前記選択手段は、前記画素配列において、前記複数の出力線の出力端から最も遠い行から前記出力端に最も近い行へと順次に行を選択し、
前記切り離し手段は、前記画素配列において信号が読み出された画素の行と読み出されていない画素の行との行間で前記複数の出力線を電気的に切り離す
ことを特徴とする請求項２に記載の撮像装置。
【請求項４】
前記切り離し手段は、該切り離し手段により電気的に切り離される行間よりも前記複数の出力線の出力端から遠い側にある全ての行の画素から信号が読み出されたことに応じて、前記複数の出力線を電気的に切り離すことを特徴とする請求項１に記載の撮像装置。
【請求項５】
前記撮像装置は、部分読み出し動作モードを有し、
前記部分読み出し動作モードにおいて、前記複数の出力線を電気的に切り離し、前記選択手段は、前記切り離し手段により電気的に切り離される行間よりも前記複数の出力線の出力端から遠い側にある行を選択しないことを特徴とする請求項１に記載の撮像装置。
【請求項６】
前記切り離し手段は、複数行の行間毎に行間を電気的に切り離すことを特徴とする請求項１に記載の撮像装置。
【請求項７】
前記撮像装置は、間引き動作モードを有し、
前記間引き動作モードにおいて、前記選択手段は、前記複数の出力線の出力端から遠い側にある行から、前記複数行おきに順次に行を選択し、
前記選択手段により選択された行の、前記複数の出力線の出力端から遠い側にある前記切り離し手段により、前記複数の出力線を電気的に切り離すことを特徴とする請求項６に記載の撮像装置。
【請求項８】
複数の画素が行方向及び列方向に配列された画素配列と、前記画素配列において少なくとも１行を選択する選択手段と、前記画素配列の各列に設けられ、各列の画素のそれぞれの信号を列方向に出力するための複数の出力線と、前記複数の出力線のそれぞれに、少なくとも１つの行間において前記画素配列の行と行との間を電気的に切り離すための複数の切り離し手段とを有する撮像装置の制御方法であって、
前記画素配列において前記選択手段により選択された行の画素から前記複数の出力線を介して信号を読み出す読み出しステップと、
前記読み出しステップによる信号の読み出しに応じて、前記複数の切り離し手段により、前記画素配列の行と行との間を電気的に切り離す切り離しステップと、
を備えたことを特徴とする撮像装置の制御方法。
【手続補正２】
【補正対象書類名】明細書
【補正対象項目名】００４９
【補正方法】変更
【補正の内容】
【００４９】
本発明の第１側面に係る撮像装置は、複数の画素が行方向及び列方向に配列された画素配列と、前記画素配列において少なくとも１行を選択する選択手段と、前記画素配列の各列に設けられ、各列の画素のそれぞれの信号を列方向に出力するための複数の出力線と、前記画素配列において前記選択手段により選択された行の画素から前記複数の出力線を介して信号を読み出す読み出し手段と、前記複数の出力線のそれぞれに、少なくとも１つの行間において前記画素配列の行と行との間を電気的に切り離すための複数の切り離し手段とを備えたことを特徴とする。
【手続補正３】
【補正対象書類名】明細書
【補正対象項目名】００５０
【補正方法】削除
【補正の内容】
【手続補正４】
【補正対象書類名】明細書
【補正対象項目名】００５１
【補正方法】変更
【補正の内容】
【００５１】
本発明の第２側面に係る撮像装置の制御方法は、複数の画素が行方向及び列方向に配列された画素配列と、前記画素配列において少なくとも１行を選択する選択手段と、前記画素配列の各列に設けられ、各列の画素のそれぞれの信号を列方向に出力するための複数の出力線と、前記複数の出力線のそれぞれに、少なくとも１つの行間において前記画素配列の行と行との間を電気的に切り離すための複数の切り離し手段とを有する撮像装置の制御方法であって、前記画素配列において前記選択手段により選択された行の画素から前記複数の出力線を介して信号を読み出す読み出しステップと、前記読み出しステップによる信号の読み出しに応じて、前記複数の切り離し手段により、前記画素配列の行と行との間を電気的に切り離す切り離しステップとを備えたことを特徴とする。
【手続補正５】
【補正対象書類名】明細書
【補正対象項目名】００５２
【補正方法】削除
【補正の内容】
【手続補正６】
【補正対象書類名】明細書
【補正対象項目名】０１３９
【補正方法】変更
【補正の内容】
【０１３９】
撮像システム２０ｂは、撮像装置１ｂを備える点で第１実施形態と異なる。撮像装置１ｂは、垂直走査回路ブロック１２１ｂ及び複数の垂直出力線Ｖ０ｂ〜Ｖ２ｂを備える。撮像装置１ｂは、複数の切り離し部ＭＶＯＦＦ００ａ，ＭＶＯＦＦ１０ａ，ＭＶＯＦＦ２０ａ，ＭＶＯＦＦ０２ａ，ＭＶＯＦＦ１２ａ，及びＭＶＯＦＦ２２ａを備えない。すなわち、複数の切り離し部ＭＶＯＦＦ０１ａ，ＭＶＯＦＦ１１ａ，ＭＶＯＦＦ２１ａは、複数の垂直出力線Ｖ０ｂ〜Ｖ２ｂのそれぞれにおいて、画素配列ＰＡの行の間に１つ設けられている。具体的には、複数の切り離し部ＭＶＯＦＦ０１ａ，ＭＶＯＦＦ１１ａ，ＭＶＯＦＦ２１ａは、画素配列ＰＡの２行目と３行目との間に設けられている。すなわち、複数の切り離し部ＭＶＯＦＦ０１ａ，ＭＶＯＦＦ１１ａ，ＭＶＯＦＦ２１ａは、複数の垂直出力線Ｖ０ｂ〜Ｖ２ｂのそれぞれにおいて、画素配列ＰＡの行の間の複数の部分のうち１つの部分を電気的に切り離す。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
所定の波長域に対して感度のある有効画素と感度の無い無効画素を有する撮像手段と、
所定の波長域成分を前記撮像手段の撮像面上で結像させる結像手段と、
所定の波長域成分の前記撮像手段への入射を遮る遮蔽手段と、
前記撮像手段の出力信号からアナログ固定パターンノイズを除去する差分手段と、
前記差分手段から出力される映像信号をデジタル信号に変換してデジタル映像信号を出力するデジタル変換手段と、
前記デジタル映像信号に基づいて固定パターンノイズを取得するＦＰＮ取得手段と、
前記ＦＰＮ取得手段で取得した固定パターンノイズをアナログ信号に変換して前記アナログ固定パターンノイズを出力するアナログ変換手段と、
前記遮蔽手段と前記ＦＰＮ取得手段の動作を制御する制御手段とを備えた赤外線撮像装置において、
前記ＦＰＮ取得手段は、
前記固定パターンノイズを格納するフレームメモリと、
前記デジタル映像信号と前記フレームメモリに格納された固定パターンノイズと混合して新たな固定パターンノイズを算出する混合手段と、
前記フレームメモリに格納されている固定パターンノイズを前記混合手段で算出された新たな固定パターンノイズで更新する更新手段とを有し、
前記制御手段は、
前記遮蔽手段を所定のタイミングで開放状態や遮蔽状態にする遮蔽制御手段と、
前記無効画素のデジタル映像信号に基づいて、固定パターンノイズの取得開始のタイミングを決定し、前記有効画素のデジタル映像信号と前記無効画素のデジタル映像信号に基づいて、固定パターンノイズの取得完了のタイミングを検出する検出手段と、
前記検出手段から出力される検出信号に基づいて、前記遮蔽制御手段の遮蔽動作タイミング信号を生成するタイミングと、前記更新回路を更新実行状態や更新停止状態にするための更新動作タイミング信号を生成するタイミング生成手段と
を有することを特徴とする赤外線撮像装置。
【請求項２】
前記検出手段は、固定パターンノイズの取得処理中に、前記有効画素のデジタル映像信号の平均値と前記無効画素のデジタル映像信号の平均値とのずれが一定値未満になることにより、固定パターンノイズの取得が完了したことを検出することを特徴とする請求項１に記載の赤外線撮像装置。
【請求項３】
前記検出手段は、固定パターンノイズの取得処理中に、前記有効画素のデジタル映像信号の最大値と最小値の差が一定値未満になることにより、固定パターンノイズの取得が完了したことを検出することを特徴とする請求項１に記載の赤外線撮像装置。
【請求項４】
前記検出手段は、前記有効画素のデジタル映像信号のバラツキが一定値未満になることにより、固定パターンノイズの取得が完了したことを検出することを特徴とする請求項１に記載の赤外線撮像装置。
【請求項５】
前記検出手段は、固定パターンノイズの取得完了時に前記無効画素のデジタル映像信号の平均値を参照信号として記憶しておいて、前記参照信号と前記無効画素のデジタル映像信号の平均値とのずれが一定値以上になることにより固定パターンノイズの取得開始のタイミングを検出することを特徴とする請求項１記載の赤外線撮像装置。
【請求項６】
前記検出手段は、フレームメモリに格納されている各画素についての固定パターンノイズの前記基準値からのずれが一定値未満であることを条件として、当該画素のデジタル映像信号を、固定パターンノイズの取得の開始や終了のタイミング検出に用いることを特徴とする請求項１記載の赤外線撮像装置。
【請求項７】
前記混合手段は、前記デジタル映像信号と前記フレームメモリに格納されている固定パターンノイズとを所定の割合で混合して前記新たな固定パターンノイズを算出することを特徴とする請求項１に記載の赤外線撮像装置。
【請求項８】
前記混合手段は、前記デジタル映像信号から基準値を引いた後、前記フレームメモリに格納されている固定パターンノイズと所定の割合で混合して前記新たな固定パターンノイズを算出することを特徴とする請求項１に記載の赤外線撮像装置。
【請求項９】
前記差分手段から出力される前記差分信号を利得設定値にしたがって増幅して前記デジタル変換手段に供給する可変利得増幅手段をさらに備えたことを特徴とする請求項７又は８に記載の赤外線撮像装置。
【請求項１０】
前記デジタル変換手段から出力された前記有効画素のデジタル映像信号をフレーム単位で積分する積分手段と、
前記積分手段から出力される積分値が所定の基準値と概ね一致するように前記利得設定値を制御する利得制御手段と
をさらに備えたことを特徴とする請求項９に記載の赤外線撮像装置。
【請求項１１】
前記アナログ変換手段の入力信号ビット数は、前記デジタル変換手段の分解能よりも大きいことを特徴とする請求項１乃至１０のいずれかに記載の赤外線撮像装置。
【請求項１２】
前記所定の波長域成分は、概ね８〜１４マイクロメートル波長帯域であることを特徴とする請求項１乃至１１のいずれかに記載の赤外線撮像装置。
【手続補正２】
【補正対象書類名】明細書
【補正対象項目名】０００５
【補正方法】変更
【補正の内容】
【０００５】
この発明の赤外線撮像装置は、
所定の波長域に対して感度のある有効画素と感度の無い無効画素を有する撮像手段と、
所定の波長域成分を前記撮像手段の撮像面上で結像させる結像手段と、
所定の波長域成分の前記撮像手段への入射を遮る遮蔽手段と、
前記撮像手段の出力信号からアナログ固定パターンノイズを除去する差分手段と、
前記差分手段から出力される映像信号をデジタル信号に変換してデジタル映像信号を出力するデジタル変換手段と、
前記デジタル映像信号に基づいて固定パターンノイズを取得するＦＰＮ取得手段と、
前記ＦＰＮ取得手段で取得した固定パターンノイズをアナログ信号に変換して前記アナログ固定パターンノイズを出力するアナログ変換手段と、
前記遮蔽手段と前記ＦＰＮ取得手段の動作を制御する制御手段とを備えた赤外線撮像装置において、
前記ＦＰＮ取得手段は、
前記固定パターンノイズを格納するフレームメモリと、
前記デジタル映像信号と前記フレームメモリに格納された固定パターンノイズと混合して新たな固定パターンノイズを算出する混合手段と、
前記フレームメモリに格納されている固定パターンノイズを前記混合手段で算出された新たな固定パターンノイズで更新する更新手段とを有し、
前記制御手段は、
前記遮蔽手段を所定のタイミングで開放状態や遮蔽状態にする遮蔽制御手段と、
前記無効画素のデジタル映像信号に基づいて、固定パターンノイズの取得開始のタイミングを決定し、前記有効画素のデジタル映像信号と前記無効画素のデジタル映像信号に基づいて、固定パターンノイズの取得完了のタイミングを検出する検出手段と、
前記検出手段から出力される検出信号に基づいて、前記遮蔽制御手段の遮蔽動作タイミング信号を生成するタイミングと、前記更新回路を更新実行状態や更新停止状態にするための更新動作タイミング信号を生成するタイミング生成手段と
を有することを特徴とする。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
バルブ撮影の開始に伴って、設定された時間ごとに画像データを出力する撮像部と、
上記撮像部から新たに画像データが出力されるたびに、当該バルブ撮影の開始以降に出力された画像データとの加算画像を生成する加算演算部と、
上記加算画像が生成されるたびにそれを表示する画像表示部と、
上記画像表示部の表示画面を照明する表示照明部と、
を具備し、
上記表示照明部は、上記画像表示部における画像表示の更新周期が所定時間以上の場合には、上記画像表示部における画像表示の更新に連動して、上記更新周期よりも短い時間だけ上記画像表示部の表示画面を照明し、上記所定時間未満の場合には、上記照明を連続的に行うことを特徴とする撮像装置。
【請求項２】
上記バルブ撮影の実行中に点灯する表示素子を具備することを特徴とする請求項１に記載の撮像装置。
【請求項３】
上記表示照明部による照明を指示する操作部材を設け、この操作部材が操作された際には、上記照明が消灯した後であっても上記画像表示部を照明することを特徴とする請求項１に記載の撮像装置。
【請求項４】
上記画像表示の更新を指示する更新操作部材を設け、この更新操作部材が操作された際には、上記画像表示の更新を行うと共に、上記画像表示部の照明を行うことを特徴とする請求項１に記載の撮像装置。
【請求項５】
上記画像表示の更新の時間を設定する更新時間設定操作部材を設け、上記バルブ撮影の実行中に、上記更新時間設定操作部材が操作された際には、上記更新の時間を変更することを特徴とする請求項１に記載の撮像装置。
【請求項６】
バルブ撮影の開始に伴って、設定された時間ごとに画像データを出力し、
上記画像データが出力されるたびに、当該バルブ撮影の開始以降に出力された画像データとの加算画像を生成し、
上記加算画像を画像表示部に表示し、
上記画像表示部における画像表示の更新周期が所定時間以上の場合には、上記画像表示部における画像表示の更新に連動して、上記更新周期よりも短い時間だけ上記画像表示部の表示画面を照明し、上記所定時間未満の場合には、上記照明を連続的に行う、
ことを特徴とする撮像装置の制御方法。
【手続補正２】
【補正対象書類名】明細書
【補正対象項目名】０００６
【補正方法】変更
【補正の内容】
【０００６】
上記目的を達成するため第１の発明に係わる撮像装置は、バルブ撮影の開始に伴って、設定された時間ごとに画像データを出力する撮像部と、上記撮像部から新たに画像データが出力されるたびに、当該バルブ撮影の開始以降に出力された画像データとの加算画像を生成する加算演算部と、上記加算画像が生成されるたびにそれを表示する画像表示部と、上記画像表示部の表示画面を照明する表示照明部と、を具備し、上記表示照明部は、上記画像表示部における画像表示の更新周期が所定時間以上の場合には、上記画像表示部における画像表示の更新に連動して、上記更新周期よりも短い時間だけ上記画像表示部の表示画面を照明し、上記所定時間未満の場合には、上記照明を連続的に行う。
【手続補正３】
【補正対象書類名】明細書
【補正対象項目名】０００７
【補正方法】変更
【補正の内容】
【０００７】
第２の発明に係わる撮像装置は、上記第１の発明において、上記バルブ撮影の実行中に点灯する表示素子を具備する。
【手続補正４】
【補正対象書類名】明細書
【補正対象項目名】０００８
【補正方法】変更
【補正の内容】
【０００８】
さらに、第３の発明に係わる撮像装置は、上記第１の発明において、上記表示照明部による照明を指示する操作部材を設け、この操作部材が操作された際には、上記照明が消灯した後であっても上記画像表示部を照明する
さらに、第４の発明に係わる撮像装置は、上記第１の発明において、上記画像表示の更新を指示する更新操作部材を設け、この更新操作部材が操作された際には、上記画像表示の更新を行うと共に、上記画像表示部の照明を行う。
さらに、第５の発明に係わる撮像装置は、上記第１の発明において、上記画像表示の更新の時間を設定する更新時間設定操作部材を設け、上記バルブ撮影の実行中に、上記更新時間設定操作部材が操作された際には、上記更新の時間を変更する。
【手続補正５】
【補正対象書類名】明細書
【補正対象項目名】０００９
【補正方法】変更
【補正の内容】
【０００９】
第６の発明に係わる撮像装置の制御方法は、バルブ撮影の開始に伴って、設定された時間ごとに画像データを出力し、上記画像データが出力されるたびに、当該バルブ撮影の開始以降に出力された画像データとの加算画像を生成し、上記加算画像を画像表示部に表示し、上記画像表示部における画像表示の更新周期が所定時間以上の場合には、上記画像表示部における画像表示の更新に連動して、上記更新周期よりも短い時間だけ上記画像表示部の表示画面を照明し、上記所定時間未満の場合には、上記照明を連続的に行う。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
第１の画素と第２の画素とを含む複数の画素が配列された画素配列と、
前記画素配列から信号を読み出すとともに、複数の信号を出力する読み出し部と、
出力部と、
を備え、
前記出力部は、
前記読み出し部から出力された前記第１の画素についての第１の信号を伝達する第１の出力線と、
前記読み出し部から出力された前記第１の画素についての第２の信号を伝達する第２の出力線と、
前記読み出し部から出力された前記第２の画素についての第１の信号を伝達する第３の出力線と、
前記読み出し部から出力された前記第２の画素についての第２の信号を伝達する第４の出力線と、
前記第１の画素についての前記第１の信号と前記第２の信号との差分を演算することにより第１の画像信号を生成する第１の差分回路と、
前記第２の画素についての前記第１の信号と前記第２の信号との差分を演算することにより第２の画像信号を生成する第２の差分回路と、
を含み、
前記第１の出力線は、前記第３の出力線と前記第４の出力線との間に配され、
前記第３の出力線は、前記第１の出力線と前記第２の出力線との間に配され、
前記第１の画素についての第１の信号および前記第２の画素についての第１の信号は、画像信号にノイズ信号が重畳された光信号であり、
前記第１の画素についての第２の信号および前記第２の画素についての第２の信号は、ノイズ信号である
ことを特徴とする撮像装置。
【請求項２】
前記複数の画素は、第３の画素をさらに含み、
前記出力部は、
前記読み出し部から出力された前記第３の画素についての第２の信号を伝達する第５の出力線と、
前記読み出し部から出力された前記第３の画素についての第１の信号を伝達する第６の出力線と、
前記第３の画素についての前記第１の信号と前記第２の信号との差分を演算することにより第３の画像信号を生成する第３の差分回路と、
を更に含み、
前記第５の出力線は、前記第２の出力線と前記第６の出力線との間に配され、
前記第３の画素についての第１の信号は、画像信号にノイズ信号が重畳された光信号であり、
前記第３の画素についての第２の信号は、ノイズ信号である
ことを特徴とする請求項１に記載の撮像装置。
【請求項３】
第１の画素と第２の画素とを含む複数の画素が配列された画素配列と、
前記画素配列から信号を読み出すとともに、複数の信号を出力する読み出し部と、
出力部と、
を備え、
前記出力部は、
前記読み出し部から出力された前記第１の画素についての第１の信号を伝達する第１の出力線と、
前記読み出し部から出力された前記第１の画素についての第２の信号を伝達する第２の出力線と、
前記読み出し部から出力された前記第２の画素についての第１の信号を伝達する第３の出力線と、
前記読み出し部から出力された前記第２の画素についての第２の信号を伝達する第４の出力線と、
前記第１の画素についての前記第１の信号と前記第２の信号との差分を演算することにより第１の画像信号を生成する第１の差分回路と、
前記第２の画素についての前記第１の信号と前記第２の信号との差分を演算することにより第２の画像信号を生成する第２の差分回路と、
を含み、
前記第１の出力線は、前記第３の出力線と前記第４の出力線との間に配され、
前記第３の出力線は、前記第１の出力線と前記第２の出力線との間に配され、
前記読み出し部は、
前記画素配列の各列の画素から異なるタイミングで読み出された２つの信号の差分を演算して、各列の画素の画像信号を求める複数の演算部と、
前記複数の演算部から出力された各列の画素の画像信号を増幅する複数の増幅部と、
を含み、
前記第１の画素についての第１の信号および前記第２の画素についての第１の信号は、画像信号に前記増幅部のオフセットが重畳された信号であり、
前記第１の画素についての第２の信号および前記第２の画素についての第２の信号は、前記増幅部のオフセットの信号である
ことを特徴とする撮像装置。
【請求項４】
前記複数の画素は、第３の画素をさらに含み、
前記出力部は、
前記読み出し部から出力された前記第３の画素についての第２の信号を伝達する第５の出力線と、
前記読み出し部から出力された前記第３の画素についての第１の信号を伝達する第６の出力線と、
前記第３の画素についての前記第１の信号と前記第２の信号との差分を演算することにより第３の画像信号を生成する第３の差分回路と、
を更に含み、
前記第３の画素についての第１の信号は、画像信号に前記増幅部のオフセットが重畳された信号であり、
前記第３の画素についての第２の信号は、前記増幅部のオフセットの信号である
ことを特徴とする請求項３に記載の撮像装置。
【請求項５】
請求項１から４のいずれか１項に記載の撮像装置と、
前記撮像装置の撮像面へ像を形成する光学系と、
前記撮像装置から出力された信号を処理して画像データを生成する信号処理部と、
を備えたことを特徴とする撮像システム。
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
第１の映像データの一部の区間を指定する指定手段と、
前記指定された区間の前記第１の映像データをサーバにアップロードするアップロード手段と、
前記指定された区間に基づく再生時刻情報と、前記指定された区間の前記第１の映像データがアップロードされた前記サーバのアドレスとを含むアプリケーションであって、前記サーバから前記指定された区間の前記第１の映像データを再生装置により取得して前記再生時刻情報により指定された再生時刻に再生させるためのアプリケーションを作成する手段と、
前記第１の映像データの解像度を低下させた第２の映像データと前記作成されたアプリケーションとを記録媒体に記録する記録手段とを有することを特徴とする映像記録装置。
【請求項２】
前記記録手段は、前記第１の映像データに対応した第１の音響データのチャンネル数が低下された第２の音響データを前記記録媒体に記録し、前記アップロード手段は、前記指定された区間の前記第１の音響データを前記サーバにアップロードすることを特徴とする請求項１に記載の映像記録装置。
【請求項３】
請求項１または２のいずれか１項に記載の映像記録装置で記録された前記記録媒体から前記第２の映像データと前記アプリケーションとを再生する映像再生装置であって、
前記記録媒体から再生された前記アプリケーションに基づいて前記指定された区間の第１の映像データを前記サーバから取得する取得手段と、
前記記録媒体から再生された前記アプリケーションに基づいて前記記録媒体からの前記第２の映像データの再生中に前記指定された区間に到達すると、前記第２の映像データに代えて前記取得手段により取得した前記第１の映像データを表示装置に出力する出力手段とを有することを特徴とする映像再生装置。
【請求項４】
前記出力手段は、前記取得手段が前記サーバから前記第１の映像データを取得できない場合、前記第２の映像データの再生中に前記指定された区間に到達しても前記記録媒体から再生された前記第２の映像データを継続して前記表示装置に出力することを特徴とする請求項３に記載の映像再生装置。
【請求項５】
前記出力手段は、前記第２の映像データの再生中において、前記指定された区間の所定時間前に前記第１の映像データに切り替る旨を前記表示装置に出力することを特徴とする請求項３または４に記載の映像再生装置。
【請求項６】
静止画データをサーバにアップロードするアップロード手段と、
動画データの再生時に前記静止画データを再生する再生時刻を指定する指定手段と、
前記指定手段により指定された再生時刻を示す再生時刻情報と、前記静止画データがアップロードされた前記サーバのアドレスとを含むアプリケーションであって、前記サーバから前記静止画データを再生装置により取得して前記再生時刻情報により指定された再生時刻に再生させるためのアプリケーションを作成する手段と、
前記動画データと前記作成されたアプリケーションとを記録媒体に記録する記録手段とを有することを特徴とする映像記録装置。
【請求項７】
請求項６に記載の映像記録装置で記録された前記記録媒体から前記動画データと前記アプリケーションとを再生する映像再生装置であって、
前記記録媒体から再生された前記アプリケーションに基づいて前記静止画データを前記サーバから取得する取得手段と、
前記記録媒体から再生された前記アプリケーションに基づいて前記記録媒体からの前記動画データの再生中に前記指定された再生時刻に到達すると、前記動画データに代えて前記取得手段により取得した前記静止画データを表示装置に出力する出力手段とを有することを特徴とする映像再生装置。
【請求項８】
第１の映像データの一部の区間を指定する指定工程と、
前記指定された区間の前記第１の映像データをサーバにアップロードするアップロード工程と、
前記指定された区間に基づく再生時刻情報と、前記指定された区間の前記第１の映像データがアップロードされた前記サーバのアドレスとを含むアプリケーションであって、前記サーバから前記指定された区間の前記第１の映像データを再生装置により取得して前記再生時刻情報により指定された再生時刻に再生させるためのアプリケーションを作成する工程と、
前記第１の映像データの解像度を低下させた第２の映像データと前記作成されたアプリケーションとを記録媒体に記録する記録工程とを有することを特徴とする映像記録装置の制御方法。
【請求項９】
請求項８に記載の映像記録装置の制御方法で記録された前記記録媒体から前記第２の映像データと前記アプリケーションとを再生する映像再生装置の制御方法であって、
前記記録媒体から再生された前記アプリケーションに基づいて前記指定された区間の第１の映像データを前記サーバから取得する取得工程と、
前記記録媒体から再生された前記アプリケーションに基づいて前記記録媒体からの前記第２の映像データの再生中に前記指定された区間に到達すると、前記第２の映像データに代えて前記取得工程により取得した前記第１の映像データを表示装置に出力する出力工程とを有することを特徴とする映像再生装置の制御方法。
【請求項１０】
静止画データをサーバにアップロードするアップロード工程と、
動画データの再生時に前記静止画データを再生する再生時刻を指定する指定工程と、
前記指定工程により指定された再生時刻を示す再生時刻情報と、前記静止画データがアップロードされた前記サーバのアドレスとを含むアプリケーションであって、前記サーバから前記静止画データを再生装置により取得して前記再生時刻情報により指定された再生時刻に再生させるためのアプリケーションを作成する工程と、
前記動画データと前記作成されたアプリケーションとを記録媒体に記録する記録工程とを有することを特徴とする映像記録装置の制御方法。
【請求項１１】
請求項１０に記載の映像記録装置の制御方法で記録された前記記録媒体から前記動画データと前記アプリケーションとを再生する映像再生装置の制御方法であって、
前記記録媒体から再生された前記アプリケーションに基づいて前記静止画データを前記サーバから取得する取得工程と、
前記記録媒体から再生された前記アプリケーションに基づいて前記記録媒体からの前記動画データの再生中に前記指定された再生時刻に到達すると、前記動画データに代えて前記取得工程により取得した前記静止画データを表示装置に出力する出力工程とを有することを特徴とする映像再生装置の制御方法。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
基板が載置される保持面と、
前記保持面から凹んだ空間に気体を供給する供給配管と、
前記凹んだ空間を挟んで前記保持面の反対側に配置されたヒーター部と、
を備える支持装置。
【請求項２】
前記凹んだ空間を真空にするための真空配管を備え、
前記真空配管と前記供給配管とが共用されていることを特徴とする請求項１に記載の支持装置。
【請求項３】
前記保持面は、複数の突起面で形成されていることを特徴とする請求項１又は請求項２に記載の支持装置。
【請求項４】
前記基板の外周付近に接する前記保持面には、環状の突起面が形成されていることを特徴とする請求項３に記載の支持装置。
【請求項５】
前記環状の突起面は、他の複数の突起面よりも弾性変形しやすいことを特徴とする請求項４に記載の支持装置。
【請求項６】
さらに、前記凹んだ空間を挟んで前記保持面の反対側に配置された冷却部を備えることを特徴とする請求項１ないし請求項５のいずれか一項に記載の支持装置。
【請求項７】
前記基板は半導体ウエハ又はこの半導体ウエハを保持するウエハホルダであることを特徴とする請求項１ないし請求項６のいずれか一項に記載の支持装置。
【請求項８】
少なくとも２つの基板を加熱し且つ加圧する加熱加圧装置であって、
請求項１ないし請求項７のいずれか一項に記載の支持装置を一対有し、
前記一対の支持装置で前記少なくとも２つの基板を加圧している最中は、前記供給配管を介して前記気体を供給するとともに、前記ヒーター部により前記基板を加熱することを特徴とする加熱加圧装置。
【請求項９】
少なくとも２つの基板を加熱し且つ加圧する加熱加圧装置であって、
請求項２に記載の支持装置を一対有し、
前記一対の支持装置で前記少なくとも２つの基板を加圧する前は、前記真空配管を介して前記基板を吸着し、
前記一対の支持装置で前記少なくとも２つの基板を加圧している最中は、前記供給配管を介して前記気体を供給するとともに、前記ヒーター部により前記基板を加熱することを特徴とする加熱加圧装置。
【請求項１０】
第１基板と第２基板とを加熱し且つ加圧する加熱加圧方法において、
前記保持面を介して前記第１基板と前記第２基板とを加圧する加圧工程と、
この加圧工程後に、前記真空吸着を停止するとともに前記保持面と前記第１基板及び第２基板との間の空間に気体を供給する第１供給工程と、
前記基板を加熱する加熱工程と、
を備えることを特徴とする加熱加圧方法。
【請求項１１】
前記第１基板と前記第２基板とをそれぞれの保持面で真空吸着する第１吸着工程を備える請求項１０に記載の加熱加圧方法。
【請求項１２】
前記供給工程後に加熱工程は前記基板を加熱することを特徴とする請求項１０又は１１に記載の加熱加圧方法。
【請求項１３】
前記加熱工程後に前記第１基板及び第２基板を冷却する冷却工程と、
冷却工程後に前記気体の供給を停止するとともに前記第１基板及び第２基板とを真空吸着する第２吸着工程と、
を備えることを特徴とする請求項１０ないし請求項１２のいずれか一項に記載の加熱加圧方法。
【請求項１４】
前記第２吸着工程後に前記加圧工程を停止することを特徴とする請求項１３に記載の加熱加圧方法。
【請求項１５】
前記第２吸着工程後に、前記真空吸着を停止するとともに前記保持面と前記第１基板及び第２基板との間の空間に気体を供給する第２供給工程を備えることを特徴とする請求項１３又は請求項１４に記載の加熱加圧方法。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
共鳴光による量子干渉効果を利用した原子発振器であって、
前記共鳴光を出射する光源と、
前記光源から出射された前記共鳴光を少なくとも２つに分岐する光分岐手段と、
前記光分岐手段により分岐された一方の共鳴光が入射され、ガス状のアルカリ金属原子が封入されたガスセルと、
該ガスセルを通過した前記一方の共鳴光を反射して前記ガスセルに入射させる反射手段と、
前記反射手段から入射して前記ガスセルを通過した前記一方の共鳴光を検出する第１の光検出手段と、
前記光分岐手段により分岐された他方の共鳴光を検出する第２の光検出手段と、
前記第２の光検出手段により検出された前記他方の共鳴光の強度に基づいて前記光源が出射する前記共鳴光の強度が一定になるよう制御する光源制御部と、を備えたことを特徴とする原子発振器。
【請求項２】
前記光分岐手段と前記第２の光検出手段との間に前記アルカリ金属原子の共鳴遷移と等しい波長を通過させる光フィルタを備えたことを特徴とする請求項１に記載の原子発振器。
【請求項３】
前記光源制御部は、前記光フィルタを通過した前記他方の共鳴光の強度が低下した場合、前記光源から出射する前記共鳴光の波長を変更するように制御することを特徴とする請求項１又は２に記載の原子発振器。
【請求項４】
前記光分岐手段は、ビームスプリッタ又はハーフミラーにより構成されていることを特徴とする請求項１乃至３の何れか一項に記載の原子発振器。
【請求項５】
前記光源の周囲温度を制御する温度制御素子を備えたことを特徴とする請求項１乃至４の何れか一項に記載の原子発振器。
【請求項６】
前記ガスセルの前記一方の共鳴光が入射される側に配置された基板と、
前記基板上に前記光源と前記第１の光検出手段と前記第２の光検出手段とが併置された構成と、を備えたことを特徴とする請求項１乃至５の何れか一項に記載の原子発振器。
【請求項７】
前記光源から出射される光はレーザ光であることを特徴とする請求項１に記載の原子発振器。
【請求項８】
前記アルカリ金属原子は、ルビジウム、又はセシウムであることを特徴とする請求項１に記載の原子発振器。
【請求項９】
前記光源と前記ガスセルとの間にレンズ又は波長板を配置したことを特徴とする請求項１乃至８の何れか一項に記載の原子発振器。
【手続補正２】
【補正対象書類名】明細書
【補正対象項目名】発明の名称
【補正方法】変更
【補正の内容】
【発明の名称】原子発振器